(57)【要約】      （修正有）【課題】ゴルフクラブヘッドでボールを撃つ事により生じる衝撃が検測ユニットに伝導しにくいゴルフクラブヘッドを提供する。【解決手段】挿入体３が螺入して収容されている収容穴が形成されているゴルフクラブヘッドであって、挿入体３は、係合ユニット３１と、係合ユニット３１内に設置されている検測ユニット３２と、係合ユニット３１と検測ユニット３２との間の隙間に充填されている充填材と、を備え、係合ユニット３１は、基壁３１１と、基壁３１１の周縁から、基壁３１１と略直交する第１の方向Ｘへ延伸して第１の方向Ｘにおける先端に向かって開口３００が開けられている柱状の設置空間３１０を囲み、且つ外周面にオスネジ部３１４が形成された周壁３１２と、を備え、基壁３１１の一部及び周壁３１２の一部を刳り貫いて設置空間３１０と連通する複数の貫通穴３１８が開けられている。【選択図】図４
2019025281.tif 000002
【特許請求の範囲】
【請求項１】
内周面にメスネジ部を有する収容穴が形成され、且つ該収容穴内に外周面にオスネジ部を有する挿入体が螺入して収容されているゴルフクラブヘッドであって、
前記挿入体は、係合ユニットと、前記係合ユニット内に設置されている検測ユニットと、前記係合ユニットと前記検測ユニットとの間の隙間に充填されている固定用充填材と、を備え、
前記係合ユニットは、全体が筒形であって、
前記係合ユニットが前記収容穴内に挿し込まれると、外部に面する基壁と、
前記基壁の周縁から、前記基壁と略直交する第１の方向へ延伸して該第１の方向における先端に開口が開けられている柱状の設置空間を囲み、且つ外周面に前記オスネジ部が形成された周壁と、を備え、前記基壁の一部及び前記周壁の一部を刳り貫いて前記設置空間と連通する複数の貫通穴が開けられており、
前記検測ユニットは、
ゴルフクラブのスイングデータを検測できる検測デバイスが内蔵され、且つ前記第１の方向に面する第１の面と前記設置空間に面する第２の面とを有するように、前記設置空間内に収容されていて前記係合ユニットの前記開口をカバーしている第１の基板と、
前記第１の基板の前記第１の面に設置されている一対の充電用電極と、
前記第１の基板と前記基壁との間に配置されて、前記充電用電極と前記第１の基板とに電気的に接続されているコンデンサと、を備え、
前記固定用充填材は、前記一対の充電用電極を露出させながら前記第１の基板の前記第１の面と前記第２の面とのそれぞれの少なくとも一部を覆って、前記第１の基板を挟み、前記検測ユニットを前記係合ユニット内の所定の位置に固定するように充填されていることを特徴とするゴルフクラブヘッド。
【請求項２】
前記係合ユニットの基壁の外部に面する表面には、所定の工具により挿入されて回されると、前記挿入体と共に回転駆動されることができる回転操作穴が設置されている突起が形成されていることを特徴とする請求項１に記載のゴルフクラブヘッド。
【請求項３】
前記複数の貫通穴は、前記突起を中央に囲むように配置されていることを特徴とする請求項２に記載のゴルフクラブヘッド。
【請求項４】
前記挿入体は、前記検測ユニットと前記係合ユニットとの間に介在して、前記検測ユニットを前記係合ユニットの前記設置空間内における所定の位置に保持する支持ユニットを更に有していることを特徴とする請求項１〜請求項３いずれか一項に記載のゴルフクラブヘッド。
【請求項５】
前記支持ユニットは、
前記検測ユニットの前記第１の基板と略平行となるように前記検測ユニットの前記コンデンサが通過できる通過穴が開けられている環状板と、
前記環状板の周縁から、それぞれ前記第１の方向へ延伸し、前記環状板と共に前記第１の基板を収容する第１の収容空間を画成する複数の第１の延伸部と、
前記環状板の周縁から、それぞれ前記第１の方向の反対方向へ延伸し、前記環状板と共に前記コンデンサを収容する第２の収容空間を画成する複数の第２の延伸部と、により構成されていることを特徴とする請求項４に記載のゴルフクラブヘッド。
【請求項６】
前記検測ユニットは、前記第１の収容空間内において前記第１の基板と前記コンデンサとの間に配置されている第２の基板を更に有することを特徴とする請求項５に記載のゴルフクラブヘッド。
【発明の詳細な説明】
【技術分野】
【０００１】
本発明はゴルフクラブヘッドに関し、特にゴルフクラブのスイングデータを検測できるゴルフクラブヘッドに関する。
【背景技術】
【０００２】
ゴルフクラブのスイングは、ゴルフボールの飛距離、軌跡などに大きな影響を与えるので、スイングデータを検測して、その検測データに基づいてスイングの姿勢を修正することが重要視されている。ゴルフクラブのスイングデータを収集／取得するために、ヘッドにスイングデータを収集する検測装置が設置されたゴルフクラブが開発された。例えば図１に示される特許文献１には、重量体収容穴１００が形成されて重量体収容穴１００内に重量体１１が収容されているゴルフクラブヘッド１０が記載されている。重量体１１は、重量体収容穴１００内に係合できる係合ユニット１１１と、係合ユニット１１１内に設置されている検測ユニット１１２と、係合ユニット１１１と検測ユニット１１２とに設置されている蓋１１３を有するので、重量体を設置すると共にスイングデータを検測できる検測ユニットも設置できるという利点がある。
【先行技術文献】
【特許文献】
【０００３】
【特許文献１】特開２０１６−１２３８３８号
【発明の概要】
【発明が解決しようとする課題】
【０００４】
しかし、特許文献１のゴルフクラブヘッド１０でボールを撃つことにより生じる衝撃が重量体１１に伝導するので、検測ユニット１１２が壊れる可能性が大きく、特に、蓋１１３が直接係合ユニット１１１に接触する場合には、蓋１１３が検測ユニット１１２に接触する面積が大きければ大きいほど、衝撃がより直接検測ユニット１１２に伝導してしまう。
【０００５】
上記問題点に鑑みて、本発明は、ゴルフクラブヘッドでボールを撃つにより生じる衝撃が検測ユニットに伝導にくいゴルフクラブヘッドの提供を目的とする。
【課題を解決するための手段】
【０００６】
上記目的を達成すべく、本発明は、内周面にメスネジ部を有する収容穴が形成され、且つ該収容穴内に外周面にオスネジ部を有する挿入体が螺入して収容されているゴルフクラブヘッドであって、前記挿入体は、係合ユニットと、前記係合ユニット内に設置されている検測ユニットと、前記係合ユニットと前記検測ユニットとの間の隙間に充填されている固定用充填材と、を備え、前記係合ユニットは、全体が筒形であって、前記係合ユニットが前記収容穴内に挿し込まれると、外部に面する基壁と、前記基壁の周縁から、前記基壁と略直交する第１の方向へ延伸して該第１の方向における先端に開口が開けられている柱状の設置空間を囲み、且つ外周面に前記オスネジ部が形成された周壁と、を備え、前記基壁の一部及び前記周壁の一部を刳り貫いて前記設置空間と連通する複数の貫通穴が開けられており、前記検測ユニットは、ゴルフクラブのスイングデータを検測できる検測デバイスが内蔵され、且つ前記第１の方向に面する第１の面と前記設置空間に面する第２の面とを有するように、前記設置空間内に収容されていて前記係合ユニットの前記開口をカバーしている第１の基板と、前記第１の基板の前記第１の面に設置されている一対の充電用電極と、前記第１の基板と前記基壁との間に配置されて、前記充電用電極と前記第１の基板とに電気的に接続されているコンデンサと、を備え、前記固定用充填材は、前記一対の充電用電極を露出させながら前記第１の基板の前記第１の面と前記第２の面とのそれぞれの少なくとも一部を覆って、前記第１の基板を挟み、前記検測ユニットを前記係合ユニット内の所定の位置に固定するように充填されていることを特徴とするゴルフクラブヘッドを提供する。
【発明の効果】
【０００７】
上記の構成によれば、本発明のゴルフクラブヘッドは、蓋の機能を有する係合ユニットに基壁の一部及び周壁の一部を刳り貫いて設置空間と連通する複数の貫通穴が開けられているので、係合ユニットが直接検測ユニットに接触する面積が少なくなって、衝撃が直接検測ユニットに伝導する可能性も下がる。
【図面の簡単な説明】
【０００８】
【図１】従来のゴルフクラブヘッドを示す斜視図である。
【図２】上記のゴルフクラブヘッドにおける重量体を示す断面図である。
【図３】本発明のゴルフクラブヘッドの一実施形態を示す部品分解斜視図である。
【図４】上記実施形態における挿入体を示す部品分解斜視図である。
【図５】上記実施形態における挿入体を示す底面図である。
【図６】上記実施形態における挿入体を示す断面図である。
【発明を実施するための形態】
【０００９】
以下、各図面を参照しながら、本発明の実施形態について詳しく説明する。
【００１０】
図３は本発明のゴルフクラブヘッドの一実施形態を示す部品分解斜視図である。図４は上記実施形態における挿入体を示す部品分解斜視図である。図５は上記実施形態における挿入体を示す底面図である。図６は上記実施形態における挿入体を示す断面図である。
【００１１】
本発明のゴルフクラブヘッド２は、図３に示されるように、シャフト９に接続されているヘッド本体２１を有し、ヘッド本体２１に、内周面にメスネジ部２３を有する収容穴２２が形成されている上、収容穴２２内に外周面にオスネジ部３１４を有する挿入体３が螺入して収容されている。この実施形態において、収容穴２２はゴルフクラブヘッド２のシャフト９と接続されている側の反対側に形成されているが、他の場所に形成されることもできる。
【００１２】
挿入体３は、図３及び図４に示されるように、係合ユニット３１と、係合ユニット３１内に設置されている検測ユニット３２と、検測ユニット３２と係合ユニット３１との間に介在して、検測ユニット３２を係合ユニット３１の設置空間３１０内における所定の位置に保持する支持ユニット３３と、係合ユニット３１と検測ユニット３２との間の隙間に充填されている固定用充填材３９と、を備える。
【００１３】
係合ユニット３１は、図４に示されるように、全体が筒形であって、係合ユニット３１が図２の収容穴２２内に挿し込まれると、外部に面する基壁３１１と、基壁３１１の周縁から、基壁３１１と略直交する第１の方向Ｘへ延伸して第１の方向Ｘにおける先端に開口３００が開けられている柱状の設置空間３１０を形成し、且つ外周面にオスネジ部３１４が形成された周壁３１２と、を備え、基壁３１１の一部及び周壁３１２の一部を刳り貫いて設置空間３１０と連通する複数の貫通穴３１８が開けられている。
【００１４】
この実施形態において、図４〜図６に示されるように、係合ユニット３１の開口３００を囲む周縁には、２つの凹部３１５が形成されていて、且つ、係合ユニット３１の基壁３１１の外部に向かう表面には、所定の工具により挿入されて回されると、挿入体３と共に回転駆動されることができる回転操作穴３１３が設置されている突起３１９が形成されている。回転操作穴３１３は、突起３１９の表面から凹陥して形成された。
【００１５】
所定の工具を回転操作穴３１３に挿入して挿入体３を回転操作することにより、挿入体３を簡単にゴルフクラブヘッド２の収容穴２２に出し入れすることができる。
【００１６】
また、複数の貫通穴３１８は、図５に示されるように、突起３１９を中央に囲むように配置されて、基壁３１１が３方向へ延伸する放射状になっている。
【００１７】
検測ユニット３２は、図４及び図６に示されるように、ゴルフクラブのスイングデータを検測できる検測デバイス（図示せず）が内蔵されている上、第１の方向Ｘに面する第１の面３２１１と設置空間３１０に面する第２の面３２１２とを有するように、設置空間３１０内に収容されていて係合ユニット３１の開口３００をカバーしている第１の基板３２１と、第１の基板３２１の第１の面３２１１に設置されている一対の充電用電極３２２と、ゴルフクラブのスイングデータを検測できる検測デバイスが設置されている上、第１の基板３２１と基壁３１１との間に配置されている第２の基板３２３と、第２の基板３２３と基壁３１１との間に配置されて、一対の充電用電極３２２と第１の基板３２１と第２の基板３２３とに電気的に接続されているコンデンサ３２４と、を備える。
【００１８】
支持ユニット３３は、図４及び図６に示されるように、係合ユニット３１の設置空間３１０に設置されると、係合ユニット３１の周壁３１２の内表面に当接して、検測ユニット３２を係合ユニット３１内の所定の位置に支持できるように構成されているものであって、検測ユニット３２の第１の基板３２１と略平行となるように検測ユニット３２のコンデンサ３２４が通過できる通過穴３０９が開けられている環状板３３０と、環状板３３０の周縁から、それぞれ第１の方向Ｘへ延伸し、環状板３３０と共に第１の基板３２１を収容する第１の収容空間３０１を画成する複数の第１の延伸部３３１と、環状板３３０の周縁から、それぞれ第１の方向Ｘの反対方向へ延伸し、環状板３３０と共にコンデンサ３２４を収容する第２の収容空間３０２を画成する複数の第２の延伸部３３２と、により構成されている。
【００１９】
この実施形態において、支持ユニット３３は、図４に示されるように、４つの第１の方向Ｘへ延伸する第１の延伸部３３１と、３つの第１の方向Ｘの反対方向へ延伸する第２の延伸部３３２と、を有する。４つの第１の延伸部３３１において、１つの第１の延伸部３３１は、その外表面から突起して、係合ユニット３１内に設置される際に、係合ユニット３１の凹部３１５に嵌入できる嵌入突起３３３が形成されており、２つの第１の延伸部３３１は、内表面から突起する設置突起３３４が形成されている。環状板３３０は、係合ユニット３１内に設置される際に、外周縁の一部が係合ユニット３１の内表面に当接せずに凹陥され、且つ他の部分が係合ユニット３１の内表面に当接するように形成されている。
【００２０】
支持ユニット３３は、係合ユニット３１内に設置される際に、図６に示されるように、第１の延伸部３３１の嵌入突起３３３が係合ユニット３１の凹部３１５に嵌入し、且つ、環状板３３０の外周縁の一部が係合ユニット３１の内表面に当接するので、係合ユニット３１に対する相対位置が離れにくくなる。
【００２１】
また、この実施形態において、第２の基板３２３は、図４及び図６に示されるように、検測ユニット３２が支持ユニット３３に支持される際に、２つの第１の延伸部３３１の設置突起３３４のそれぞれに嵌入される２つの設置凹部３２５が形成されている。従って、検測ユニット３２が支持ユニット３３に支持される際に、第１の延伸部３３１の設置突起３３４が第２の基板３２３の設置凹部３２５に嵌入されて、検測ユニット３２が環状板３３０と平行する面において移動できなくなる。
【００２２】
固定用充填材３９は、図６に示されるように、一対の充電用電極３２２を露出させながら少なくとも第１の基板３２１の第１の面３２１１と第２の面３２１２とのそれぞれの少なくとも一部を覆って、第１の基板３２１を挟み、検測ユニット３２を係合ユニット３１内の所定の位置に固定するように検測ユニット３２と係合ユニット３１との間に充填されている。
【００２３】
この実施形態において、図６に示されるように、検測ユニット３２は支持ユニット３３により、係合ユニット３１と一定の隙間を空けると共に、係合ユニット３１の設置空間３１０の略中央位置に設置されている。そして、固定用充填材３９は、該一定の隙間に充填できる流動性があって、乾燥後固化する材料であり、固定用充填材３９が、該一定の隙間に充填されていることにより、係合ユニット３１と検測ユニット３２と支持ユニット３３とが一体的に固定されている。
【００２４】
上記の構成によれば、蓋の機能を有する係合ユニット３１に基壁３１１の一部及び周壁３１２の一部を刳り貫いて設置空間３１０と連通する複数の貫通穴３１８が開けられているので、係合ユニット３１が直接検測ユニット３２に接触できる面積が少なくなって、衝撃が直接検測ユニット３２に伝導する可能性も下がる。衝撃評価において、検測ユニット３２は、速度４６ｍ/ｓのゴルフボールで本発明のゴルフクラブヘッド２を撃つ試験を３０００回以上受けても、正常に稼動することができるので、貫通穴３１８を刳り貫くにより、検測ユニット３２を保護する効果がある。更に、固定用充填材３９が検測ユニット３２と係合ユニット３１との間に充填されていることにより、ゴルフクラブヘッドでボールを打つ時に生じる衝撃を吸収して、検測ユニット３２をより保護できる。
【００２５】
なお、係合ユニット３１と検測ユニット３２と支持ユニット３３とが一体的に固定されて、１つのモジュールになるので、挿入体３を収容穴２内に螺挿することだけで設置できる。従って、ゴルフクラブヘッド２に対して余分な機構を設置するための加工が要らず、更に、挿入体３を回転することにより、挿入体３を収容穴２２に簡単に出し入れすることができる。
【００２６】
また、検測ユニット３２は、支持ユニット３３により支持されているので、より簡単に固定用充填材３９を検測ユニット３２と係合ユニット３１との間に充填して硬く固定することができる。
【００２７】
固定用充填材３９は一対の充電用電極３２２を露出させて充填され、且つ、挿入体３を収容穴２２から外すと、充電用電極３２２は外側に向かうので、充電用電極３２２を充電器に電気的に接続することにより検測ユニット３２を充電することができる。
【００２８】
なお、挿入体３自身の重量によりゴルフクラブヘッド２の重心を調整できる。その重量は、挿入体３の構成材料を変えることにより調整でき、例えば挿入体３の重量を軽くしよときに、より軽い材料で支持ユニット３３または固定用充填材３９を構成することができる。更に挿入体３内に重量体を設置することもできる。第１の基板３２１と第２の基板３２３とに設置されている検測デバイスを変えて、検測できるスイングデータを変更することもできる。
【産業上の利用可能性】
【００２９】
本発明のゴルフクラブヘッドは、一般のゴルフ競技または練習に適用でき、中でも、スイングデータを検測するための練習には好適である。
【符号の説明】
【００３０】
２  ゴルフクラブヘッド
９  シャフト
２１  ヘッド本体
２２  収容穴
２３  メスネジ部
３  挿入体
３００  開口
３１  係合ユニット
３１０  設置空間
３１１  基壁
３１２  周壁
３１３  回転操作穴
３１４  オスネジ部
３１５  凹部
３１８  貫通穴
３１９  突起
３２  検測ユニット
３２１  第１の基板
３２１１  第１の面
３２１２  第２の面
３２２  充電用電極
３２３  第２の基板
３２４  コンデンサ
３２５  設置凹部
３３  支持ユニット
３３０  環状板
３３１  第１の延伸部
３３２  第２の延伸部
３３３  嵌入突起
３３４  設置突起
３０１  第１の収容空間
３０２  第２の収容空間
３０９  通過穴
３９  固定用充填材
Ｘ  第１の方向
【図１】
2019025281.tif 000003
【図２】
2019025281.tif 000004
【図３】
2019025281.tif 000005
【図４】
2019025281.tif 000006
【図５】
2019025281.tif 000007
【図６】
2019025281.tif 000008